(57)【特許請求の範囲】
【請求項１】
ホリゾント面の下方に配設された筐体と；
筐体の下部に配置され、距離の短い比較的広い部分のホリゾント面を照射する下部のランプ装置と；
筐体のこの下部のランプ装置より上部に配置され、所定距離での単位面積当たりの照射量を下部のランプ装置より大きくして距離の長い比較的狭い部分のホリゾント面をスポット的に照射するとともに、下部のランプ装置よりも中心光度が高くかつ照射範囲が狭角であるランプ装置と；
を具備していることを特徴とする照明器具。
【請求項２】
ホリゾント面の上方に配設された筐体と；
筐体の上部に配置され、距離の短い比較的広い部分のホリゾント面を照射する上部のランプ装置と；
筐体のこの上部のランプ装置より下部に配置され、所定距離での単位面積当たりの照射量を上部のランプ装置より大きくして距離の長い比較的狭い部分のホリゾント面をスポット的に照射するとともに、上部のランプ装置よりも中心光度が高くかつ照射範囲が狭角であるランプ装置と；
を具備していることを特徴とする照明器具。
【請求項３】
各ランプ装置は、それぞれ同一定格電力の光源
を具備したことを特徴とする請求項１または２記載の照明器具。
【請求項４】
請求項１ないし３いずれか記載の照明器具を横方向に複数配列した
ことを特徴とする照明装置。
【請求項５】
隣接する照明器具には互いに照射光の波長が異なるように波長選択手段が設けられた
ことを特徴とする請求項４記載の照明装置。
【発明の詳細な説明】
【０００１】
【産業上の利用分野】
本発明は、被照射面を均一に照射する照明器具および照明装置に関する。
【０００２】
【従来の技術】
従来のこの種の照明装置としては、たとえば特開昭５７−５５００１号公報に記載の構成が知られている。
【０００３】
この特開昭５７−５５００１号公報に記載の照明装置は、被照明部となるホリゾント面の上部および下部に１組の照明器具を設け、これらそれぞれの照明器具は、放物面反射面とこの放物面反射面から連続して形成された楕円面反射面とを備え、これら放物面反射面および楕円面反射面により反射された光により、ホリゾント面を全体に照射している。
【０００４】
【発明が解決しようとする課題】
しかしながら、上述の特開昭５７−５５００１号公報に記載の構成の場合、照明器具に近い一方は照射光量が多いが、遠い他方は照射光量が少なく、ホリゾント面の照度が均一になりにくい。
【０００５】
本発明は、上記問題点に鑑みなされたもので、ホリゾント面を均一に照射可能な照明器具および照明装置を提供することを目的とする。
【０００６】
【課題を解決するための手段】
請求項１記載の照明器具は、ホリゾント面の下方に配設された筐体と；筐体の下部に配置され、距離の短い比較的広い部分のホリゾント面を照射する下部のランプ装置と；筐体のこの下部のランプ装置より上部に配置され、所定距離での単位面積当たりの照射量を下部のランプ装置より大きくして距離の長い比較的狭い部分のホリゾント面をスポット的に照射するとともに、下部のランプ装置よりも中心光度が高くかつ照射範囲が狭角であるランプ装置とを具備しているものである。
【０００７】
請求項２記載の照明器具は、ホリゾント面の上方に配設された筐体と；筐体の上部に配置され、距離の短い比較的広い部分のホリゾント面を照射する上部のランプ装置と；筐体のこの上部のランプ装置より下部に配置され、所定距離での単位面積当たりの照射量を上部のランプ装置より大きくして距離の長い比較的狭い部分のホリゾント面をスポット的に照射するとともに、上部のランプ装置よりも中心光度が高くかつ照射範囲が狭角であるランプ装置とを具備しているものである。
【０００８】
請求項３記載の照明器具は、請求項１または２記載の照明器具において、各ランプ装置は、それぞれ同一定格電力の光源を具備したものである。
【０００９】
請求項４記載の照明装置は、請求項１ないし３いずれか記載の照明器具を横方向に複数配列したものである。
【００１０】
請求項５記載の照明装置は、請求項４記載の照明装置において、隣接する照明器具には波長の異なる波長選択手段を具備したものである。波長選択手段とは、干渉膜などを有したフィルタ、反射体を含み、光が透過あるいは反射した際に所望の波長を主に選択して照射するものである。
【００１１】
【作用】
請求項１記載の照明器具は、筐体をホリゾント面の下方に配設し、筐体の下部に距離の短い比較的広い部分のホリゾント面を照射する下部のランプ装置を配設し、筐体のこの下部のランプ装置より上部に、所定距離での単位面積当たりの照射量を大きくして距離の長い比較的狭い部分のホリゾント面をスポット的に照射するとともに、中心光度が高くかつ照射範囲が狭角であるランプ装置を配設することにより、下部のランプ装置で比較的広い部分のホリゾント面を照射し、下部のランプ装置より上部に配設されたランプ装置は、中心光度が高くかつ照射範囲が狭角で所定距離での単位面積当たりの照射量を大きくして距離の長い比較的狭い部分のホリゾント面をスポット的に照射するので、全体としてはホリゾント面が均一に照射される。
【００１２】
請求項２記載の照明器具は、筐体をホリゾント面の上方に配設し、筐体の上部に距離の短い比較的広い部分のホリゾント面を照射する上部のランプ装置を配設し、筐体のこの上部のランプ装置より下部に、所定距離での単位面積当たりの照射量を大きくして距離の長い比較的狭い部分のホリゾント面をスポット的に照射するとともに、中心光度が高くかつ照射範囲が狭角であるランプ装置を配設することにより、上部のランプ装置で比較的広い部分のホリゾント面を照射し、上部のランプ装置より下部に配設されたランプ装置は、中心光度が高くかつ照射範囲が狭角で所定距離での単位面積当たりの照射量を大きくして距離の長い比較的狭い部分のホリゾント面をスポット的に照射するので、全体としてはホリゾント面が均一に照射される。
【００１３】
請求項３記載の照明器具は、請求項１または２記載の照明器具において、各ランプ装置は、それぞれ同一定格電力の光源を具備したため、電気設備の共通化を図れる。
【００１４】
請求項４記載の照明装置は、請求項１ないし３いずれか記載の照明器具を横方向に複数配列したことにより、ホリゾント面の大型化に対応する。
【００１５】
請求項５記載の照明装置は、請求項４記載の照明装置において、隣接する照明器具には波長の異なる波長選択手段を具備したため、ホリゾント面に任意の波長、あるいは、合成した波長で照明できる。
【００１６】
【実施例】
以下、本発明の照明装置の一実施例を図面を参照して説明する。
【００１７】
図１は照明装置としてのアッパーホリゾントライト１の説明図で、このアッパーホリゾントライト１は、舞台あるいはスタジオなどの上方に位置して配設され、舞台あるいはスタジオなどのホリゾント面２を上方から照明する。
【００１８】
また、アッパーホリゾントライト１は、ホリゾント面２の上方の部分を比較的短距離で鈍角でほぼ水平方向から照射する上方から、ホリゾント面２の下方の部分を比較的長距離で鋭角で上方から照射する下方まで、複数の光学系としてのランプ装置３１〜３５を筐体４に有しており、横方向にも同様に複数個配設され、隣接するランプ装置３１〜３５にはそれぞれ異なる色、すなわち波長を選択する波長選択手段としての図示しない色フィルタあるいは光学多層膜が設けられている。そして、図２はランプ装置３１〜３３の駆動系を示す内部構造図で、この図２に示すようにこれらランプ装置３１〜３５は、熱線処理されたたとえばダイクロイックなどの反射面５、この反射面５の光軸上に長手方向を沿ってフィラメント６が平行に位置するたとえば１２Ｖ５０Ｗのローボルトハロゲンなどのランプ７、および、このランプ７からの光を制光するレンズ８を有している。また、上部に位置するランプ装置３１は比較的近距離を広い角度、すなわち広角で広い面に照射するもので、下部に位置するランプ装置３５は比較的遠距離を狭い角度、すなわち狭角でスポット的に照射するものである。
【００１９】
さらに、ランプ装置３１〜３３は、図２に示すように、連動手段としての連動機構10にて一括して連動する。
【００２０】
また、ランプ装置３１〜３３は、それぞれ保持枠11１〜11３を有しており、これら保持枠11１〜11３の回動中心となる一端には、ウォームホイール12１〜12３の回転軸に固定され、これらウォームホイール12１〜12３を回動させることによりランプ装置３１〜３３の仰角を変化させる。
【００２１】
そして、ウォームホイール12１は一端に摘み13を有するシャフト14の他端に設けられたウォーム15１に噛合されており、また、シャフト14にはベベルギア16，17のそれぞれのベベル16a，17aが固定され、ベベル16aは一端にウォーム15２が設けられたシャフト18の他端に設けられたベベル16bに噛合され、ベベル17aは一端にウォーム15３が設けられたシャフト19の他端に設けられたベベル17bに噛合されている。なお、摘み13は手動で回転させても、図示しない電動機、あるいは、減速機構を介した電動機で駆動させるようにしてもよい。
【００２２】
また、ランプ装置３１はウォームホイール12１およびウォーム15１、ランプ装置３２はウォームホイール12２およびウォーム15２とベベルギア16と、ランプ装置３３はウォームホイール12３およびウォーム15３とベベルギア17とによる回転比でそれぞれ角度が設定され、この回転する割合をそれぞれ最適な状態として摘み13を回転させることにより、ランプ装置３１〜３３がそれぞれ異なる最適な角度に変化して所定の仰角を維持でき、したがって、アッパーホリゾントライト１とホリゾント面２との間隔を変化させる際にも、簡単な操作で最適角度に調整できる。
【００２３】
そして、上述のように、上部には広角に照射するランプ装置３１を配設させて、下部には狭角に照射するランプ装置３５を配設させたため、上部に位置するランプ装置３１では広角にして単位面積当たり照射量を小さくして距離の短い比較的広い部分を照射し、下部に位置するランプ装置３５では狭角にしてスポット的に単位面積当たり照射量を大きくして距離の長い比較的狭い部分を照射して、全体としてはほぼ均一にホリゾント面２を照射する。また、従来の同一のランプ装置を用いている場合のように、照射距離を大きくして明るさを均一にしたりする必要がないため、舞台あるいはスタジオを有効に広く使用でき、また、一部のランプ装置のみを調光したりするなど個々に調光する必要がないため、個々に調光装置を設ける必要がなく、軽量化およびコストの低下を図ることができるとともに、メインテナンスも容易になる。そして、仮に調光が必要な場合にも、ランプ装置それぞれが同一の消費電力であるため、全体としての調光を行なうことによりホリゾント面２を明るく、かつ、均一な明るさにした状態で調光できる。
【００２４】
さらに、図３はランプ装置３の熱線カットの状態を示す説明図で、図４は従来のランプ装置３の熱線カットの状態を示す説明図で、図３に示すようにフィラメント６を反射面５の光軸に沿って光軸上に配設することにより見掛け上は点光源となりすべての光ｌ１が熱線がカットされるが、従来は図４に示すように、フィラメント６からの光のうち一部の光ｌ２は反射面５で熱線がカットされずに反射することを防止して、照射される熱線を減少させる。
【００２５】
そして、図１に示すアッパーホリゾントライト１の上下方向を反対にして、ロアーホリゾントライトとしても同様の効果を得ることができる。
【００２６】
また、上述の実施例では縦方向に５つのランプ装置を用いたものについて説明したが、５つに限らず任意の個数縦方向に並べても同様の効果を得ることができ、上下方向を反対にしてロアーホリゾントライトとして用いた場合も同様である。
【００２７】
そこで、たとえば縦方向に８個のランプ装置を並べたものについて表１を参照して説明する。
【００２８】
【表１】
0003870979.tif 000002
【００２９】
この場合、最上方に位置するホリゾント面に鈍角で照射を行なうランプ装置はビーム角３４°の広角にして所定距離での単位面積当たりの照射量を小さくし、最下方から５つ目までのホリゾント面に鋭角で照射を行なうランプ装置はビーム角２０°の狭角にして所定距離での単位面積当たりの照射量を大きくし、上から３つ目および４つ目のホリゾント面に鈍角および狭角の間の中角で照射を行なうランプ装置はビーム角１０°の中角にして所定距離での単位面積当たりの照射量を中間にし、ホリゾント面での単位面積当たりの照射量を等しくして、ホリゾント面の明るさを全体として一定にする。
【００３０】
また、広角のランプ装置は水平方向より４５°上方に向けて取り付けられ、中角のランプ装置は水平方向より７４．８０°下方に向けて取り付けられ、狭角のランプ装置は水平方向より８３°下方に向けて取り付けられ、いずれも５０Ｗの出力で、広角のランプ装置は中心光度が１５００ｃｄ、中角のランプ装置は中心光度が６８００ｃｄ、狭角のランプ装置は中心光度が１５０００ｃｄに設定されている。
【００３１】
そして、広角、中角および狭角のランプ装置を点灯させることにより、広角のランプ装置では比較的近いホリゾント面を全体的に照明し、狭角のランプ装置では比較的遠いホリゾント面をスポット的に照明し、中角のランプ装置では中間的に照明し、ホリゾント面全体の広い部分で明るさを一定にする。
【００３２】
次に、他の実施例を図５および図６を参照して説明する。
【００３３】
図５はロアーホリゾントライトの側断面図であり、図６は正面図であり、階段状に形成された筐体21の上面に階段状に段違いにして、ランプ装置22１〜22８を配設する。そして、これらランプ装置22１〜22８は１２Ｖ５０Ｗのローボルトハロゲンランプを用いており、下部のランプ装置22１はビーム角が４０°の広角の光学系で、ランプ装置22２はビーム角が２０°の広角の光学系で、ランプ装置22３〜22８はビーム角が１０°の狭角の光学系を有している。なお、これらランプ装置22１〜22８は、図１ないし図４に示す実施例と同様に構成され、図示しない連動機構で連動動作するようにしてもよく、波長選択手段を設けるようにしてもよい。
【００３４】
そして、この図５および図６に示す実施例の場合には、図１ないし図４に示す実施例と上下方向を反対にさせ、表１に示すように、最下部に配置するホリゾント面２に鈍角で照射を行なうランプ装置３８はビーム角３４°の広角にして所定距離での単位面積当たりの照射量を小さくし、最上方から５つ目までのホリゾント面２に鋭角で照射を行なうランプ装置３１〜３５はビーム角２０°の狭角にしてスポット的に所定距離での単位面積当たりの照射量を大きくし、上から６つ目および７つ目のホリゾント面２に鈍角および狭角の間の中角で照射を行なうランプ装置３６〜３７はビーム角１０°の中角にして所定距離での単位面積当たりの照射量を中間とし、ホリゾント面２での単位面積当たりの明るさを一定にし、全体としてはほぼ均一にホリゾント面２を照射するなど、図１ないし図４に示す実施例の場合と同様の効果を得ることができる。
【００３５】
また、広角のランプ装置は水平方向より４５°下方に向けて取り付けられ、中角のランプ装置は水平方向より７４．８０°上方に向けて取り付けられ、狭角のランプ装置は水平方向より８３°上方に向けて取り付けられ、いずれも５０Ｗの出力で、広角のランプ装置は中心光度が１５００ｃｄ、中角のランプ装置は中心光度が６８００ｃｄ、狭角のランプ装置は中心光度が１５０００ｃｄに設定されている。
【００３６】
そして、広角、中角および狭角のランプ装置を点灯させることにより、広角のランプ装置では比較的近いホリゾント面を全体的に照明し、狭角のランプ装置では比較的遠いホリゾント面をスポット的に照明し、中角のランプ装置では中間的に照明し、ホリゾント面全体の広い部分で明るさを一定にする。
【００３７】
なお、この図５および図６に示す実施例の場合には、単に、下部には広角に照射するランプ装置22１を配設させ、上部には狭角に照射するランプ装置３８を配設させて、下部に位置するランプ装置22１では広角にして単位面積当たり照射量を小さくして距離の短い比較的広い部分を照射し、上部に位置するランプ装置３８では狭角にしてスポット的に単位面積当たり照射量を大きくして距離の長い比較的狭い部分を照射しても、全体としてはほぼ均一にホリゾント面２を照射でき、図１ないし図４に示す実施例の場合と同様の効果を得ることができる。
【００３８】
また、これらいずれの場合も上下方向を反対にして、アッパーホリゾントライト１としても同様の効果を得ることができる。
【００３９】
さらに、他の実施例の照明装置を図７ないし図１１に示すホリゾントライト１を参照して説明する。
【００４０】
図７はこの他の実施例の照明装置の説明図で、筐体31に４つのランプ装置32a，32bが直線状に配設され、両端の２つのランプ装置32aは広角に照射するフラット光学系で、中央の２つのランプ装置32bは狭角に照射するスポット光学系である。そして、これらランプ装置32a，32bは、いずれも反射面33の光軸に沿ってランプのフィラメント34が配設され、フラット系のランプ装置32aにはフラット系の光を広角に分散するレンズ35が配設され、スポット系のランプ装置32bにはスポット的に光を狭角にするレンズ36が配設されている。
【００４１】
また、フラット系のランプ装置32a，32aおよびスポット系のランプ装置32b，32bは、それぞれ直列接続され、ランプ装置32a，32aおよびランプ装置32b，32b間には、抵抗などの調光装置37が接続され、フラット系のランプ装置32a，32aおよびスポット系のランプ装置32b，32bの分圧比を任意に可変できるようになっている。
【００４２】
ここで、図８はフラット系のランプ装置32a，32aの配光特性図で、図９はスポット系のランプ装置32b，32bの配光特性図で、フラット系のランプ装置32aは図８に示すように照射ビーム角度を広角にして単位面積当たりの照射量を小さくし全体的に照射しているのに対し、スポット系のランプ装置32b，32bは図９に示すように照射ビーム角度を鋭角にして照射することにより単位面積当たりの照射量を大きくしスポット的に照射している。
【００４３】
また、図１０はフラット系のランプ装置32a，32aの分圧比を大きくした場合の配光特性図で、調光装置37を調整してフラット系のランプ装置32a，32aを明るくすることにより、図１０に示すようにホリゾント面２全体を平面的に均一に明るくでき、反対に、図１１はスポット系のランプ装置32b，32bの分圧比を大きくした場合の配光特性図で、調光装置37を調整してスポット系のランプ装置32b，32bを明るくすることにより、図１１に示すようにホリゾント面２の一部をスポット的に明るくできる。
【００４４】
上述の各実施例では、アッパーホリゾントライト、ロアーホリゾントライトについて説明したが、これらは単独でも、両者を組み合わせて使用してもどちらでもよい。
【００４５】
【発明の効果】
請求項１記載の照明器具によれば、下部のランプ装置で比較的広い部分のホリゾント面を照射し、下部のランプ装置より上部に配設されたランプ装置は、中心光度が高くかつ照射範囲が狭角で所定距離での単位面積当たりの照射量を大きくして距離の長い比較的狭い部分のホリゾント面をスポット的に照射するので、全体として均一に照射でき、均一な照度のホリゾント面を得ることができる。
【００４６】
請求項２記載の照明器具によれば、上部のランプ装置で比較的広い部分のホリゾント面を照射し、上部のランプ装置より下部に配設されたランプ装置は、中心光度が高くかつ照射範囲が狭角で所定距離での単位面積当たりの照射量を大きくして距離の長い比較的狭い部分のホリゾント面をスポット的に照射するので、全体として均一に照射でき、均一な照度のホリゾント面を得ることができる。
【００４７】
請求項３記載の照明器具によれば、請求項１または２記載の照明器具において、各ランプ装置は、それぞれ同一定格電力の光源を具備したため、電気設備を共通化できる。
【００４８】
請求項４記載の照明装置によれば、請求項１ないし３いずれか記載の照明器具を横方向に複数配列したことにより、ホリゾント面の大型化に対応できる。
【００４９】
請求項５記載の照明装置によれば、請求項４記載の照明装置の効果に加え、任意の色で照射できるとともに、各波長の照射光の組み合わせにより、多様な色調のホリゾント面を得ることができる。
【図面の簡単な説明】
【図１】  本発明の照明装置の一実施例を示す説明図である。
【図２】  同上ランプ装置の駆動系を示す内部構造図である。
【図３】  同上ランプ装置の熱線カットの状態を示す説明図である。
【図４】  従来のランプ装置の熱線カットの状態を示す説明図である。
【図５】  他の実施例のロアーホリゾントライトの側断面図である。
【図６】  同上正面図である。
【図７】  また他の実施例の照明装置の説明図である。
【図８】  フラット系のランプ装置の配光特性図である。
【図９】  スポット系のランプ装置の配光特性図である。
【図１０】  フラット系のランプ装置の分圧比を大きくした場合の配光特性図である。
【図１１】  スポット系のランプ装置の分圧比を大きくした場合の配光特性図である。
【符号の説明】
１    照明装置としてのアッパーホリゾントライト
２    ホリゾント面
３１    上部のランプ装置
３２〜３８，22２〜22８    ランプ装置
４，21    筐体
22１    下部のランプ装置
【図１】
0003870979.tif 000003
【図２】
0003870979.tif 000004
【図３】
0003870979.tif 000005
【図４】
0003870979.tif 000006
【図５】
0003870979.tif 000007
【図６】
0003870979.tif 000008
【図７】
0003870979.tif 000009
【図８】
0003870979.tif 000010
【図９】
0003870979.tif 000011
【図１０】
0003870979.tif 000012
【図１１】
0003870979.tif 000013